(57)【要約】【課題】認証カードシステムにおけるカード発行コストの軽減、さらに成りすましに対する課題を解決する。【解決手段】本発明は、認証カード発行装置において、画像を取り込み、ディジタル画像を取得し、ディジタル画像に、認証情報が格納された認証データベースから読み出した認証情報を電子透かし情報として埋め込み、電子透かし入り画像を作成し、電子透かし入り画像を認証カード用の媒体に貼付・所定の情報の印刷などにより認証カードを発行する。認証装置において、発行された電子透かし入りカードをディジタル画像として取り込み、得られたディジタル画像から、電子透かし情報を読み出し、電子透かし情報を認証情報として、認証データベースに格納されている認証情報と照合し、その結果に基づいて、認証設備を制御し、認証結果を、ログ化して、記憶手段に格納する。【選択図】図１
2008085640.tif 000002
【特許請求の範囲】
【請求項１】
認証カード発行装置、認証情報が格納された認証データベース、及び認証装置からなるシステムであって、
前記認証カード発行装置は、
画像を取り込み、ディジタル画像を取得する画像取込手段と、
前記画像取込手段にて取得した前記ディジタル画像に、前記認証データベースから読み出した認証情報を電子透かし情報として埋め込み、電子透かし入り画像を作成する電子透かし埋込手段と、
前記電子透かし入り画像を認証カード用の媒体に貼付し、所定の情報を印刷し、電子透かし入りカードを発行する電子透かし入りカード発行手段と、を有し、
前記認証装置は、
前記電子透かし認証カード発行装置で発行された前記電子透かし入りカードをディジタル画像として取り込むカード読取手段と、
前記カード読取手段で得られた前記ディジタル画像から、電子透かし情報を読み出す電子透かし検出手段と、
前記電子透かし情報を認証情報として、前記認証データベースに格納されている認証情報と照合する認証手段と、
を有することを特徴とする電子透かしを用いた認証カードシステム。
【請求項２】
前記認証装置は、
前記認証手段で得られた結果に基づいて、認証設備を制御する認証設備制御手段を更に有する請求項１記載の電子透かしを用いた認証カードシステム。
【請求項３】
前記認証装置は、
前記認証手段で得られた結果をログ化して、記憶手段に格納するログ手段を更に有する請求項１または、２記載の電子透かしを用いた認証カードシステム。
【請求項４】
前記画像取込手段は、前記ディジタル画像から顔画像を抽出する手段を含み、
前記電子透かし埋込手段は、前記画像取込手段で抽出された前記顔画像に電子透かしを埋め込む際に、顔部分には電子透かしを埋め込まない、または、弱く埋め込む手段を含む請求項１乃至３記載の電子透かしを用いた認証カードシステム。
【請求項５】
前記画像取込手段は、前記ディジタル画像から任意の文字や図形またはそれらの組み合わせを含む特定領域を抽出する手段を含み、
前記電子透かし埋込手段は、前記画像取込手段で抽出された前記特定領域には電子透かしを埋め込まない、または、弱く埋め込む手段を含む請求項１乃至３記載の電子透かしを用いた認証カードシステム。
【請求項６】
前記電子透かし埋込手段は、
２値で構成された電子透かし入り画像を作成する手段を含む請求項１乃至３記載の電子透かしを用いた認証カードシステム。
【請求項７】
認証カード発行装置において、
画像取込手段が、画像を取り込み、ディジタル画像を取得する画像取込ステップと、
電子透かし埋込手段が、前記画像取込ステップにて取得した前記ディジタル画像に、認証情報が格納された認証データベースから読み出した認証情報を電子透かし情報として埋め込み、電子透かし入り画像を作成する電子透かし埋込ステップと、
電子透かし入りカード発行手段が、前記電子透かし入り画像を電子透かし入りカード用の媒体に貼付し、所定の情報を印刷し、電子透かし入りカードを発行する電子透かし入りカード発行ステップと、
認証装置において、
カード読取手段が、前記認証カード発行装置で発行された前記電子透かし入りカードをディジタル画像として取り込むカード読取ステップと、
電子透かし検出手段が、前記カード読取ステップで得られた前記ディジタル画像から、電子透かし情報を読み出す電子透かし検出ステップと、
認証手段が、前記電子透かし情報を認証情報として、前記認証データベースに格納されている認証情報と照合する認証ステップと、
認証設備制御手段が、前記認証ステップで得られた結果に基づいて、認証設備を制御する認証設備制御ステップと、
前記認証ステップで得られた結果をログ化して、記憶手段に格納するログステップと、
を行うことを特徴とする電子透かしを用いた認証方法。
【請求項８】
前記画像取込ステップにおいて、前記ディジタル画像から顔画像を抽出し、
前記電子透かし埋込ステップにおいて、前記画像取込ステップで取得した前記顔画像に電子透かしを埋め込む際に、顔部分には電子透かしを埋め込まない、または、弱く埋め込む請求項７記載の電子透かしを用いた認証方法。
【請求項９】
前記画像取込ステップにおいて、前記ディジタル画像から任意の文字や図形またはそれらの組み合わせを含む特定領域を抽出し、
前記電子透かし埋込ステップにおいて、前記画像取込ステップで抽出された前記特定領域には電子透かしを埋め込まない、または、弱く埋め込む請求項７記載の電子透かしを用いた認証方法。
【請求項１０】
前記電子透かし埋込ステップにおいて、
２値で構成された電子透かし入り画像を作成する請求項７記載の電子透かしを用いた認証方法。
【発明の詳細な説明】
【技術分野】
【０００１】
本発明は、電子透かしを用いた認証カードシステム及び電子透かしを用いた認証方法に係り、特に、セキュリティシステムの認証に用いられる電子透かしを用いた認証カードシステム及び電子透かしを用いた認証方法に関する。
【背景技術】
【０００２】
認証カードシステムとして、非接触ＩＣカードを用いたシステムが普及している。具体的には、フラッパーゲートを用いたビルの入退館チェック用の認証カードシステムや、企業内の居室への入退室チェック用の認証カードシステムなどが該当する（例えば、特許文献１参照）。
【特許文献１】特許０２７５２０９７号公報
【発明の開示】
【発明が解決しようとする課題】
【０００３】
上記のような非接触ＩＣカードを用いた認証カードシステムでは、カードにＩＣチップを搭載しているため１枚当たりの価格が高価であり、長時間常時利用するような利用者には良いが、一時的に利用するものにはコストが掛かりすぎる。例えば、企業への来訪者や、企業に期間契約で派遣されている派遣社員などへの新しいＩＣカード発行には、コスト的な問題が発生している。そのため、来訪者や派遣社員に対しては、ＩＣカードの使い回しなどの運用措置が取られている。しかし、このようなＩＣカードの使い回しにおいても、来訪者や派遣社員がＩＣカードを紛失したり、そのまま持ち帰ってしまい、カードが戻ってこないなどの状況が見受けられ、単純にカード発行コストの軽減につながっているとは言い難い状況である。
【０００４】
また、セキュリティの面から、ＩＣカードは非常に高いセキュリティを有するカードではあるが、そのカードを盗まれてしまうと他人が成りすまして利用することが可能となる。例えば、使いまわしをしている企業の来訪者向けＩＣカードでは、図１２のような券面に「ゲストカード」と印字されたカードが専ら使われており、成りすまされてカードを使用されても、個人が特定できないため、成りすましを発見しにくい状況にある。これは、多くの企業が入っている多目的ビルなどで顕著な問題として現れ、警備員は不審なものを発見したとしても、その者がどこの企業の来訪者かすら分からず、不審者チェックを行うために、迅速に行動をとることができない。
【０００５】
また、多数の者が同じ来訪者向けカードを身につけているため、不審者のチェックが甘くなり、不審者を見過ごしてしまう可能性がある。
【０００６】
他にも、期間限定で契約した派遣社員などに発行したＩＣカードでは、写真を貼り付けることで、警備員がその人の写真を見て、本人かどうかを確認できるようにしているが、写真の張替えが容易なため、成りすましを行うことが容易にできてしまう。
【０００７】
本発明は、上記の点に鑑みなされたもので、従来技術において課題であった認証カードシステムにおけるカード発行コストの軽減、さらに成りすましに対する課題を解決することが可能な電子透かしを用いた認証カードシステムを提供することを目的とする。
【課題を解決するための手段】
【０００８】
図１は、本発明の原理を説明するための図である。
【０００９】
本発明（請求項１）は、認証カード発行装置１００、認証情報が格納された認証データベース４００、及び認証装置２００からなるシステムであって、
認証カード発行装置１００は、
画像を取り込み、ディジタル画像を取得する画像取込手段１１０と、
画像取込手段１１０にて取得したディジタル画像に、認証データベース４００から読み出した認証情報を電子透かし情報として埋め込み、電子透かし入り画像を作成する電子透かし埋込手段１２０と、
電子透かし入り画像を電子透かし入りカード用の媒体に貼付し、所定の情報を印刷し、電子透かし入りカード３００を発行する電子透かし入りカード発行手段１３０と、を有し、
認証装置２００は、
電子透かし認証カード発行装置１００で発行された電子透かし入りカード３００をディジタル画像として取り込むカード読取手段２１０と、
カード読取手段２１０で得られたディジタル画像から、電子透かし情報を読み出す電子透かし検出手段２２０と、
電子透かし情報を認証情報として、認証データベース４００に格納されている認証情報と照合する認証手段２３０と、を有する。
【００１０】
また、本発明（請求項２）は、認証装置２００において、認証手段２３０で得られた結果に基づいて、認証設備を制御する認証設備制御手段を更に有する。
【００１１】
また、本発明（請求項３）は、認証装置２００において、認証手段２３０で得られた結果をログ化して、記憶手段に格納するログ手段を更に有する。
【００１２】
また、本発明（請求項４）は、画像取込手段１１０において、ディジタル画像から顔画像を抽出する手段を含み、
電子透かし埋込手段１２０において、画像取込手段１１０で抽出された顔画像に電子透かしを埋め込む際に、顔部分には電子透かしを埋め込まない、または、弱く埋め込む手段を含む。
【００１３】
また、本発明（請求項５）は、画像取込手段１１０において、ディジタル画像から任意の文字や図形またはそれらの組み合わせを含む特定領域を抽出する手段を含み、
電子透かし埋込手段１２０において、画像取込手段で抽出された画像の特定領域には電子透かしを埋め込まない、または、弱く埋め込む手段を含む。
【００１４】
また、本発明（請求項６）は、電子透かし埋込手段１２０において、２値で構成された電子透かし入り画像を作成する手段を含む。
【００１５】
図２は、本発明の原理を説明するための図である。
【００１６】
本発明（請求項７）は、認証カード発行装置において、
画像取込手段が、画像を取り込み、ディジタル画像を取得する画像取込ステップ（ステップ１）と、
電子透かし埋込手段が、画像取込ステップにて取得したディジタル画像に、認証情報が格納された認証データベースから読み出した認証情報を電子透かし情報として埋め込み、電子透かし入り画像を作成する電子透かし埋込ステップ（ステップ２）と、
電子透かし入りカード発行手段が、電子透かし入り画像を電子透かし入りカード用の媒体に貼付し、所定の情報を印刷し、電子透かし入りカードを発行する電子透かし入りカード発行ステップ（ステップ３）と、
認証装置において、
カード読取手段が、認証カード発行装置で発行された電子透かし入りカードをディジタル画像として取り込むカード読取ステップ（ステップ４）と、
電子透かし検出手段が、カード読取ステップで得られたディジタル画像から、電子透かし情報を読み出す電子透かし検出ステップ（ステップ５）と、
認証手段が、電子透かし情報を認証情報として、認証データベースに格納されている認証情報と照合する認証ステップ（ステップ６）と、
認証設備制御手段が、認証ステップで得られた結果に基づいて、認証設備を制御する認証設備制御ステップ（ステップ７）と、
認証ステップで得られた結果を、ログ化して、記憶手段に格納するログステップ（ステップ８）と、を行う。
【００１７】
また、本発明（請求項８）は、画像取込ステップ（ステップ１）において、ディジタル画像から顔画像を抽出し、
電子透かし埋込ステップ（ステップ２）において、画像取込ステップ（ステップ１）で抽出された顔画像に電子透かしを埋め込む際に、顔部分には電子透かしを埋め込まない、または、弱く埋め込む。
【００１８】
また、本発明（請求項９）は、画像取込ステップ（ステップ１）において、ディジタル画像から任意の文字や図形またはそれらの組み合わせを含む特定領域を抽出し、
電子透かし埋込ステップ（ステップ２）において、画像取込ステップ（ステップ１）で抽出された前記特定領域には電子透かしを埋め込まない、または、弱く埋め込む。
【００１９】
また、本発明（請求項１０）は、電子透かし埋込ステップ（ステップ２）において、２値で構成された電子透かし入り画像を作成する。
【発明の効果】
【００２０】
上記のように本発明によれば、以下のような効果を奏する。
【００２１】
（１）ＩＣチップを用いないため、安価なカード発行コスト（通常用紙や、さらにコストがかからない感熱紙）によるカード発行が可能となる。そのため、紛失などがあった場合も、カード発行コストもかからず、さらに、ＩＣカードに比べて早くカード発行ができる。
【００２２】
（２）様々な画像に電子透かしを埋め込むことが可能なため、例えば、認証される人の顔画像や、企業ロゴにも透かしを入れた認証カードを作成することが可能である。そのため、警備員もその人かどうか、もしくは、訪問企業がどこかといった認識が可能なため、成りすましによるセキュリティ対策を高めることが可能である。
【００２３】
（３）画像に電子透かしを埋め込むため、画像を挿げ替えた偽カードの発行を難しくすることができ、成りすましに対するセキュリティ対策を高めることが可能である。
【００２４】
（４）付加的な効果として、文献"中村高雄、片山淳、山室雅司、曽根原登「カメラ付き携帯電話機を用いたアナログ画像からの高速電子透かし検出方式」電子情報通信学会論文誌、D-II Vol.J87-D-II, No.12, pp.2145-2155 2004年12月"の電子透かし埋め込み検出技術を用いると、携帯電話を用いても電子透かしを検出することが可能なため、警備員は不審なものを見つけた際、そのカードを携帯電話で撮影して、認証結果を得ることができるようになる。その上で不審者を迅速に発見することが可能となる。また、当該技術を用いることにより、非常に高速に透かし検出ができるため、認証を行うときに必要十分なパフォーマンスが得られる。
【発明を実施するための最良の形態】
【００２５】
以下、図面と共に本発明の実施の形態を説明する。
【００２６】
以下では、電子透かしを用いた認証カードシステムにおいて、ビル内に設置されたフラッパーゲートを用いた入退館に電子透かし技術を用いた例を用いて説明する。
【００２７】
図３は、本発明の実施の形態における電子透かしを用いた認証カードシステムの構成を示す。
【００２８】
同図に示す認証カードシステムは、画像に認証情報を電子透かし情報として埋め込み、電子透かし入り認証カード３００を発行する電子透かし認証カード発行装置１００、電子透かし認証カード発行装置１００により発行された電子透かし認証カード３００から電子透かし情報（認証情報）を読み出し、認証結果からフラッパーゲートを開閉するフラッパーゲート認証装置２００、電子透かし入りカード３００、認証情報を格納する認証データベース（ＤＢ）４００から構成される。
【００２９】
電子透かし認証カード発行装置１００は、画像取込部１１０、電子透かし埋込部１２０、電子透かし入りカード発行部１３０から構成される。
【００３０】
電子透かし認証カード発行装置１００の動作を図４を用いて説明する。
【００３１】
ステップ１０１）  画像取り込み部１１０にて、外部から電子透かしを埋め込む画像を読み込む。取り込まれた画像中に、顔部分や、会社ロゴや図形、文字等の電子透かしを埋め込む対象となる特定領域の周囲に背景等の画像が含まれている場合には、これを除き、特定領域のみを抽出する。
【００３２】
ステップ１０２）  電子透かし埋込部１２０にて、入退館をチェックするための認証情報を認証データベース４００から読み出し、電子透かし情報としてステップ１０１で読み込まれた画像または、抽出された特定領域に埋め込み、電子透かし入り画像を作成する。
【００３３】
ステップ１０３）  電子透かし入りカード発行部１３０にて、埋め込んだ電子透かし入り画像を認証カードのデザインレイアウトに従い、紙媒体等の出力媒体の該当箇所に貼り付ける。そして、必要情報を印刷し、認証カード３００を発行する。なお、電子透かし入りカード発行部１３０は、カード発行機、発券機のような画像データの貼付・印字機能を有する装置であるとする。
【００３４】
フラッパーゲート認証装置２００は、カード読取部２１０、電子透かし読取部２２０、認証部２３０、認証設備制御部２４０、ログ部２５０から構成される。
【００３５】
フラッパーゲート認証装置２００の動作を図５を用いて説明する。
【００３６】
ステップ２０１）  電子透かし認証カード発行装置１００で発行された認証カードを、フラッパーゲートに組み込まれたカード読取部２１０で読み取り、ディジタル画像化する。
【００３７】
ステップ２０２）  ステップ２０１で取得したディジタル画像から電子透かし読取部２２０にて電子透かし情報を読み出し、認証情報を得る。
【００３８】
ステップ２０３）  認証部２３０は、ステップ２０２で得られた認証情報を認証データベース４００に格納されている情報と突合せし、許可された認証情報であるかどうかをチェックする。
【００３９】
ステップ２０４）  認証が問題なければステップ２０６に移行し、問題があればステップ２０５に移行する。
【００４０】
ステップ２０５）  許可された認証情報でない場合は、認証設備制御部２４０にて、フラッパーゲートを閉じたままとし、警報音を鳴らす。ステップ２０７に移行する。
【００４１】
ステップ２０６）  許可された認証情報である場合は、認証設備制御部２４０は、フラッパーゲートを開放する。
【００４２】
ステップ２０７）  ステップ２０４の突合結果をログ部２５０において、ログ化して記憶手段（図示せず）に保存し、入退館状況をログからチェックし、セキュリティ管理に役立つ情報として管理する。
【００４３】
次に、上記に記載した各ステップの動作について詳細に説明する。
【００４４】
ステップ１０１では、電子透かし認証カード発行装置１００の画像取込部１１０において、電子透かしを埋め込む画像については、どのような画像であっても構わない。具体的には、入退館する人の顔画像に埋め込んでも構わないし、多くの企業が入っている多目的ビルの入退館であれば、訪問先や来訪者の企業の企業ロゴ、企業名の文字、企業ロゴと企業名の文字に埋め込んでも構わない。また、アミューズメント施設であれば、その代表的なキャラクタなどに埋め込んでも構わない。
【００４５】
これらの画像を用いることの特徴は、その画像を見ると人も認識でき、認証カードシステムでも電子透かし読み出しにより、同様の情報を認識可能であるということである。例えば、顔画像であれば、入退館をチェックする警備員は、カードを持っている人が本人かどうかをチェック可能であるし、システムもその人かどうかを認証によりチェックできる。また、訪問先の企業ロゴであれば、警備員はどこの企業の訪問者であるかをチェックできることから、ビル内で不審な動きをしている者を訪問先企業に連絡することで早々に不審者かどうかをチェックできる。さらに、顔画像に電子透かしを埋め込む場合は、プリント倶楽部（登録商標）やインスタントに証明写真を撮影できる証明写真撮影ボックスのような装置を設置しておき、ビル来訪者がその場で自分の顔画像を撮影し、その画像に透かしを埋め込み、即時発行型の認証カードとして発行することも可能である。即時発行のため、来訪した人、その人のカードが発行されるため、成りすましを回避する効果の高いシステムを構築することが可能となる。
【００４６】
ステップ１０２では、電子透かし埋込部１２０において、認証データベース４００に登録された認証情報を、電子透かし情報として埋め込む。電子透かしの埋込は、どのような技術を用いても構わない。例えば、参考文献："中村高雄、片山淳、山室雅司、曽根原登、「カメラ付携帯電話機を用いたアナログ画像からの高速電子透かし検出方式」電子情報通信学会論文誌、D-II Vol. J87-D-II No.12 pp.2145-2155 2004年12月"を用いた電子透かし埋込技術などで実現可能である。
【００４７】
ここで、認証データベース４００とは、入退館を許可された人を登録したデータベースを指している。認証データベース４００に登録される情報とは、例えば、派遣社員などの入退チェックを行う場合は、派遣社員を管理する管理ＩＤ番号と、その派遣社員の契約期間などである。認証情報としては、管理ＩＤ番号を用いることになる。その例を図６（Ａ）に示す。また、ビルへの来訪者の場合は、来訪企業のアポイント情報を別システムで管理しておき、そのアポイント番号と有効期限を認証データベース４００に登録しておく。認証情報としては、そのアポイント情報を用いることとなる。その例を図６（Ｂ）に示す。
【００４８】
また、管理する認証用のＩＤ（例えば、上記派遣社員の管理ＩＤ）が、盗まれる危険性がある場合は、そのＩＤを変換したり、スクランブルしたり、認証データベース４００内の情報を暗号化することでそのリスクを回避することができる。
【００４９】
また、電子透かし埋込にあたっては、顔画像、企業ロゴ、任意の文字、任意の記号、図形のいずれか、または、それらの組み合わせからなる特定領域を含む画像が入力された場合には、人の視認性を高めるために、電子透かしの埋込位置として、当該特定領域に対して部分的に電子透かしの埋め込みを行うことも可能である。例えば、図７では、特定領域が「顔」の場合であり、図７（Ｃ）のように、顔画像では顔の部分には透かしを埋め込まないようにすることで、画像の人への視認性を高めることが可能となる。また、図８は、特定領域が「企業ロゴ」の場合であり、図８（Ｂ）のように企業ロゴの部分には、電子透かしを弱く埋め込んだり、図８（Ｃ）のように、企業ロゴの部分には電子透かしを埋め込まないようにする。図９は、特定領域が「企業ロゴと文字」の例であり、図９（Ｂ）のように企業ロゴと文字の部分には電子透かしを弱く埋め込んだり、図９（Ｃ）のように企業ロゴと文字の部分には、電子透かしを埋め込まないようにする。
【００５０】
他には、参考文献"特願２００５−２９３９１９「電子透かし埋め込み装置及び電子透かし入り画像形成装置及び電子透かし検出装置及び方法及びプログラム」"のように白黒の２値パターン化した電子透かしを埋め込むことで、ステップ１０３における印刷時に、サーマルプリンタなどの白黒２値出力しかできないプリンタにも対応することが可能となる。例えば、図１０のようにグレースケールの画像情報を持つ電子透かし画像を２値化して埋め込み、埋込画像に重畳することで、２値化された電子透かし入り画像を作成することが可能である。さらには、グレースケールの画像情報を持つ電子透かし画像を図形近似して、電子透かし画像にし、２値化された電子透かし入り画像を作成することも可能である。
【００５１】
さらに、電子透かしを埋め込むことは、成りすましの点でも効果がある。例えば、成りすましを行うために画像を張り替えようとしても、電子透かしの埋込アルゴリズムが分からないため、電子透かし入り画像を作成することができない。そのため、ＩＣカードの顔写真のように、簡単に写真の挿げ替えができず、成りすましにも効果を得ることが可能となる。
【００５２】
ステップ１０３では、電子透かし入りカード発行部１３０が、埋め込んだ画像から、例えば、図１１のように事前に登録された認証カードレイアウトに基づき、レイアウトの中で作成した透かし画像の貼り付け位置に当該画像を貼り付ける。次に、完成した電子透かし認証カードを印刷し、カードを発行する。発行された当該電子透かし入りカード３００は、通常用紙で印刷することが可能なため、安価にカードを発行することが可能である。ステップ１０２に記載したように、サーマルプリンタで印刷することも可能なため、さらに安価な電子透かし認証カードを発行することも可能である。また、紙だけではなく印刷できるものであれば何でも構わない。プラスティックカードなどの素材のカードでも構わない。上記のように、当該電子透かし入りカードには、ＩＣチップを搭載していないため、ＩＣチップ搭載のための処理が不要であり、作成が容易なためスピーディに発行することができる。
【００５３】
続いて、フラッパーゲート認証装置２００の詳細について説明する。
【００５４】
ステップ２０１では、電子透かし認証カード発行装置１００で発行された認証カード３００をフラッパーゲートに組み込まれたカード読取部２１０で読み取り、ディジタル画像化する。カード読取部２１０は、具体的にはディジタルカメラなどとなる。
【００５５】
次に、ステップ２０２では、電子透かし読取部２２０で得られた画像からの電子透かし読み出しには、どのような電子透かし技術を用いても構わない。例えば、参考文献"中村高雄、片山淳、山室雅司、曽根原登、「カメラ付携帯電話機を用いたアナログ画像から高速電子透かし検出方式」電子情報通信学会論文誌、D-II Vol.J87-D-II No.12 pp.2145-2155 2004年12月"を用いた電子透かし埋込技術であれば、その読み出し方法を用いて行うこととなる。
【００５６】
ステップ２０３では、認証部２３０は、ステップ２０２で読み出した電子透かし情報を認証情報として、認証データベース４００の情報との照合を行う。例えば、ステップ１０２に示したような、認証データベース４００（認証情報と有効期限）であれば、
ａ：認証情報が認証データベース４００に登録されているか？
ｂ：認証情報が認証データベース４００に登録されている場合は、有効期限が妥当か？をチェックする。当然、認証データベース４００の情報項目を増やしても構わない。例えば、通過可能なフラッパーゲートのゲートナンバーも登録しておけば、認証カードで通過可能なゲートも制御することが可能となる。
【００５７】
また、ステップ１０２に示したようにＩＤを変換したり、スクランブルしたり、データベースを暗号化して、認証データベース４００を構築していた場合は、これら変換を戻した後、認証を行うことが必要となる。
【００５８】
認証設備制御部２４０にて、ステップ２０３における認証が問題なければ（ステップ２０４、Ｙｅｓ）、フラッパーゲートを開放し（ステップ２０６）、認証に問題があれば（ステップ２０４、Ｎｏ）、フラッパーゲートを閉じたままとし、警報音を鳴らすよう（ステップ２０５）、フラッパーゲートを制御する。
【００５９】
ステップ２０７において、ログ部２５０では、ステップ２０４の突合結果をログ化してディスク等の記憶媒体に保存する。例えば、ログとして下記のような項目を管理することが可能である。
【００６０】
・認証日時
・認証ＩＤ
・認証された人、もしくは来訪者の企業名など
・認証結果
・認証ＮＧの場合のＮＧの理由（認証情報がない、有効期限内でない、通過ゲートではないなど）
等をログ管理することができるようになるため、ログ履歴を閲覧することで、不正な動きをする人をチェックすることが可能となる。
【００６１】
上記の電子透かし認証カード発行装置１００、フラッパーゲート認証装置２００の動作をプログラムとして構築し、これらの装置として利用されるコンピュータにインストールして実行させる、または、ネットワークを介して流通させることも可能である。
【００６２】
また、構築されたプログラムをディスクや、フレキシブルディスク・ＣＤ−ＲＯＭ等の可搬記憶媒体に格納し、コンピュータにインストールする、または、配布することが可能である。
【００６３】
なお、本発明は、上記の実施の形態に限定されることなく、特許請求の範囲内において種々変更・応用が可能である。
【産業上の利用可能性】
【００６４】
本発明は、ビルの入退館における認証カードシステムの他に、居室への入退室を管理する認証システムや、アミューズメント施設、例えば野球場、サッカー場、遊園地などの施設の入退にも適用可能である。
【図面の簡単な説明】
【００６５】
【図１】本発明の原理構成図である。
【図２】本発明の原理を説明するための図である。
【図３】本発明の一実施の形態における電子透かしを用いた認証カードシステムの構成図である。
【図４】本発明の一実施の形態における電子透かし認証カード発行部の概要動作のフローチャートである。
【図５】本発明の一実施の形態におけるフラッパーゲート認証部の概要動作のフローチャートである。
【図６】本発明の一実施の形態における認証データベースの例である。
【図７】本発明の一実施の形態における顔画像に電子透かしを部分的に埋め込む例である。
【図８】本発明の一実施の形態における企業ロゴ画像に電子透かしを部分的に埋め込む例である。
【図９】本発明の一実施の形態における企業ロゴと文字画像に電子透かしを部分的に埋め込む例である。
【図１０】本発明の一実施の形態における２値化された電子透かし入り画像の埋め込み例である。
【図１１】本発明の一実施の形態におけるカードのレイアウト例である。
【図１２】来訪者向けＩＣカードの券面デザイン例である。
【符号の説明】
【００６６】
１００  認証カード発行装置
１１０  画像取込手段、画像取込部
１２０  電子透かし埋込手段、電子透かし埋込部
１３０  電子透かし入りカード発行手段、電子透かし入りカード発行部
２００  認証装置、フラッパーゲート認証装置
２１０  カード読取手段、カード読取部
２２０  電子透かし検出手段、電子透かし読取部
２３０  認証手段、認証部
２４０  認証設備制御部
２５０  ログ部
【図１】
2008085640.tif 000003
【図２】
2008085640.tif 000004
【図３】
2008085640.tif 000005
【図４】
2008085640.tif 000006
【図５】
2008085640.tif 000007
【図６】
2008085640.tif 000008
【図７】
2008085640.tif 000009
【図８】
2008085640.tif 000010
【図９】
2008085640.tif 000011
【図１１】
2008085640.tif 000012
【図１２】
2008085640.tif 000013
【図１０】
2008085640.tif 000014